(57)【要約】【課題】複数の貯湯タンクを直列に接続した貯湯式給湯機において、貯湯運転の実行中に給湯が開始された場合の加熱手段からの出湯温度の変動を抑制すること。【解決手段】本発明の貯湯式給湯機１００は、直列に接続された複数の貯湯タンク（５，６）と、最上位の貯湯タンク（５）内から取り出された湯を給湯先側へ送る給湯配管２と、給湯配管２への給湯を検知可能な給湯検知手段（１４）と、加熱手段（１）から流出する湯の温度を検出する出湯温度検出手段と、加熱手段により加熱された湯を貯える貯湯運転時に、出湯温度検出手段により検出される温度が目標温度となるようにポンプ（１２）の駆動速度を制御するフィードバック制御を実行可能なフィードバック制御手段と、貯湯運転時に給湯検知手段により給湯配管２への給湯が検知された場合に、フィードバック制御を停止してポンプの駆動速度を一定速度に固定するポンプ速度固定手段とを備える。【選択図】図３
2014001880.tif 000002
【特許請求の範囲】
【請求項１】
直列に接続された複数の貯湯タンクと、
湯水を加熱する加熱手段と、
前記複数の貯湯タンクのうちの最下位の貯湯タンクに外部からの水を供給する給水配管と、
前記最下位の貯湯タンク内の水を前記加熱手段に送る往き流路と、前記加熱手段により加熱された湯を前記複数の貯湯タンクのうちの最上位の貯湯タンク内に送る戻り流路と、前記往き流路および前記戻り流路に湯水を流通させるポンプとを有する貯湯回路と、
前記最上位の貯湯タンク内から取り出された湯を給湯先側へ送る給湯配管と、
前記給湯配管への給湯を検知可能な給湯検知手段と、
前記加熱手段から流出する湯の温度を検出する出湯温度検出手段と、
前記貯湯回路に湯水を流通させて前記加熱手段により加熱された湯を貯える貯湯運転時に、前記出湯温度検出手段により検出される温度が目標温度となるように前記ポンプの駆動速度を制御するフィードバック制御を実行可能なフィードバック制御手段と、
前記貯湯運転時に前記給湯検知手段により前記給湯配管への給湯が検知された場合に、前記フィードバック制御を停止して前記ポンプの駆動速度を一定速度に固定するポンプ速度固定手段と、
を備える貯湯式給湯機。
【請求項２】
前記ポンプ速度固定手段は、前記給湯配管への給湯の停止が検知された後、所定時間が経過した場合、または前記目標温度と前記出湯温度検出手段により検出される温度との差が所定の範囲内となった場合に、前記ポンプの駆動速度の固定を解除する請求項１記載の貯湯式給湯機。
【請求項３】
前記ポンプ速度固定手段は、前記給湯配管への給湯が開始される前の速度と比べて所定速度または所定割合低い速度に前記ポンプの駆動速度を固定する請求項１または２記載の貯湯式給湯機。
【請求項４】
前記ポンプ速度固定手段は、前記給湯配管への給湯の停止が検知された後、前記ポンプの駆動速度を、前記給湯配管への給湯が開始される前の速度に段階的に近づけるように制御し、その後に前記ポンプの駆動速度の固定を解除する請求項３記載の貯湯式給湯機。
【発明の詳細な説明】
【技術分野】
【０００１】
本発明は、貯湯式給湯機に関する。
【背景技術】
【０００２】
ヒートポンプユニット等の加熱手段により水を加熱して高温の湯を生成して貯湯タンク内に貯え、その貯えた湯を必要に応じて給湯先へ供給する貯湯式給湯機が広く用いられている。また、狭い空間で大きな貯湯量を確保する目的で、複数の貯湯タンクを直列に接続した貯湯式給湯機が用いられることがある。例えば、特許文献１には、給水管が接続された取水側の貯湯タンクと、給湯管が接続された給湯側の貯湯タンクとを備え、取水側の貯湯タンクの頂部と給湯側の貯湯タンクの底部とを連結管で連結することで各貯湯タンクに湯を貯えることを可能にした貯湯式給湯機が開示されている。
【先行技術文献】
【特許文献】
【０００３】
【特許文献１】特開２００５−１６４１５３号公報
【発明の概要】
【発明が解決しようとする課題】
【０００４】
取水側貯湯タンクと給湯側貯湯タンクとが直列に接続された貯湯式給湯機では、貯湯タンク内に湯を貯える貯湯運転（沸き上げ運転）時に、取水側貯湯タンクの底部から取り出された低温水が加熱手段に送られ、加熱手段で加熱された高温水が給湯側貯湯タンクに送られて給湯側貯湯タンクの上部に流入する。この際、取水側貯湯タンクの頂部と給湯側貯湯タンクの底部とを連結する連結管を湯水が流れるため、圧力損失が発生する。
【０００５】
貯湯式給湯機では、貯湯運転の実行中に給湯が開始された場合でも、貯湯運転をそのまま継続することが一般的である。その際、単一の貯湯タンクを備えた１缶式の貯湯式給湯機では問題ないが、複数の貯湯タンクを直列に接続した貯湯式給湯機では、貯湯運転の実行中に給湯が開始された場合に、上述した圧力損失の影響により、加熱手段からの出湯流量が変動する。その結果、加熱手段からの出湯温度が変動したり、加熱手段の冷媒回路吐出圧力へ影響を及ぼしたりするという問題がある。
【０００６】
本発明は、上述のような課題を解決するためになされたもので、複数の貯湯タンクを直列に接続した貯湯式給湯機において、貯湯運転の実行中に給湯が開始された場合の加熱手段からの出湯温度の変動を抑制することを目的とする。
【課題を解決するための手段】
【０００７】
本発明に係る貯湯式給湯機は、直列に接続された複数の貯湯タンクと、湯水を加熱する加熱手段と、複数の貯湯タンクのうちの最下位の貯湯タンクに外部からの水を供給する給水配管と、最下位の貯湯タンク内の水を加熱手段に送る往き流路と、加熱手段により加熱された湯を複数の貯湯タンクのうちの最上位の貯湯タンク内に送る戻り流路と、往き流路および戻り流路に湯水を流通させるポンプとを有する貯湯回路と、最上位の貯湯タンク内から取り出された湯を給湯先側へ送る給湯配管と、給湯配管への給湯を検知可能な給湯検知手段と、加熱手段から流出する湯の温度を検出する出湯温度検出手段と、貯湯回路に湯水を流通させて加熱手段により加熱された湯を貯える貯湯運転時に、出湯温度検出手段により検出される温度が目標温度となるようにポンプの駆動速度を制御するフィードバック制御を実行可能なフィードバック制御手段と、貯湯運転時に給湯検知手段により給湯配管への給湯が検知された場合に、フィードバック制御を停止してポンプの駆動速度を一定速度に固定するポンプ速度固定手段とを備えたものである。
【発明の効果】
【０００８】
本発明によれば、複数の貯湯タンクを直列に接続した貯湯式給湯機において、貯湯運転の実行中に給湯が開始された場合の加熱手段からの出湯温度の変動を抑制することが可能となる。
【図面の簡単な説明】
【０００９】
【図１】本発明の実施の形態１の貯湯式給湯機を示す構成図である。
【図２】本発明の実施の形態１の貯湯式給湯機の貯湯運転時の湯水の流れを示す図である。
【図３】本発明の実施の形態１の貯湯式給湯機において貯湯運転の実行中に給湯が開始されたときの湯水の流れを示す図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示すように、本実施形態の貯湯式給湯機１００は、水を加熱して湯に沸き上げる加熱手段としてのヒートポンプユニット１と、直列に接続された給湯側貯湯タンク５および取水側貯湯タンク６を搭載した貯湯タンクユニット２０とを備えている。ヒートポンプユニット１と貯湯タンクユニット２０との間は、湯水が通る外部配管１５，１６と、図示しない電気配線とを介して接続されている。
【００１２】
ヒートポンプユニット１は、図示を省略するが、圧縮機、水冷媒熱交換器、膨張弁および空気冷媒熱交換器を冷媒配管を介して接続した冷媒回路（冷凍サイクル回路）と、空気冷媒熱交換器に外気を送風する送風機等を搭載しており、空気冷媒熱交換器にて外気の熱を吸収し、水冷媒熱交換器にて水を高温の湯に沸き上げることができるように構成されている。なお、本発明における加熱手段は、このようなヒートポンプユニット１に限定されるものではなく、水を加熱して湯を生成可能に構成されたものであればいかなる方式のものでもよい。
【００１３】
貯湯タンクユニット２０における給湯側貯湯タンク５の下部と取水側貯湯タンク６の上部との間は、連結管１０を介して連結されている。すなわち、給湯側貯湯タンク５および取水側貯湯タンク６は、直列接続された関係となっており、給湯側貯湯タンク５が上位側に位置し、取水側貯湯タンク６が下位側に位置する。このように、本実施形態では、２個の貯湯タンク（給湯側貯湯タンク５および取水側貯湯タンク６）が直列に接続された構成となっており、給湯側貯湯タンク５が最上位の貯湯タンクに相当し、取水側貯湯タンク６が最下位の貯湯タンクに相当する。ただし、本発明は、３個以上の貯湯タンクが直列に接続された構成にも適用可能である。３個以上の貯湯タンクが直列に接続された構成の場合には、最上位の貯湯タンクと最下位の貯湯タンクとの間に１以上の中間位の貯湯タンクが存在し、各々の中間位の貯湯タンクの上部は、１つ上位の貯湯タンクの下部と連結管を介して接続され、各々の中間位の貯湯タンクの下部は、１つ下位の貯湯タンクの上部と連結管を介して接続される。
【００１４】
貯湯タンクユニット２０内には、制御部５０が設置されている。制御部５０は、例えば浴室や台所の壁などに設置されるリモコン装置６０（ユーザーインターフェース装置）と通信可能に接続されている。制御部５０は、貯湯式給湯機１００が備える各センサの検出情報と、リモコン装置６０に入力されたユーザーの指示とに基づいて、貯湯式給湯機１００が備える各アクチュエータの駆動を制御することにより、貯湯式給湯機１００の動作制御を行う。
【００１５】
給湯側貯湯タンク５の上部には、上部配管２２の一端が接続されている。上部配管２２の他端は、給湯配管２と流入管７とにそれぞれ連通している。給湯側貯湯タンク５内に貯えられた湯は、上部配管２２へ導出され、給湯配管２を通って混合弁１３に送られ、混合弁１３で水と混合されて温度調節された上で、所定の給湯先（例えば、浴槽、シャワー、蛇口等）側へ送られる。流入管７は、上部配管２２と出湯切替弁１１との間を接続している。出湯切替弁１１は、内部配管１７および外部配管１６を介して、ヒートポンプユニット１の出湯口に接続されている。
【００１６】
取水側貯湯タンク６の下部には、外部の水道等からの水を供給する給水配管３が接続されている。給水配管３の途中には、給水圧力を所定の圧力に減圧する減圧弁４が設置されている。混合弁１３には、給湯配管２と、給水配管３から分岐した給水配管２１と、混合給湯配管１８とが接続されている。混合弁１３は、給湯側貯湯タンク５から給湯配管２を通って供給される高温の湯と、給水配管２１から供給される低温水との混合比を調整可能になっている。混合弁１３で混合された湯は、混合給湯配管１８を通って、上記給湯先に供給される。混合給湯配管１８の途中には、混合給湯配管１８内の湯水の流れ（給湯の有無）を検知可能な給湯センサ１４（給湯検知手段）が設置されている。
【００１７】
取水側貯湯タンク６の下部には、流出管８の一端が接続されている。流出管８は、外部配管１５を介して、ヒートポンプユニット１の入水口に接続されている。流出管８の途中には、湯水を流通させるための循環ポンプ１２が設置されている。出湯切替弁１１には、バイパス配管９の一端が更に接続されている。バイパス配管９の他端は、取水側貯湯タンク６の上部付近に接続されている。出湯切替弁１１は、内部配管１７と流入管７とを連通させてバイパス配管９を遮断する第１の状態と、バイパス配管９と内部配管１７とを連通させて流入管７を遮断する第２の状態とに流路を切り替え可能になっている。出湯切替弁１１を上記第１の状態とすることにより貯湯回路が形成され、出湯切替弁１１を上記第２の状態とすることによりバイパス回路が形成される。なお、３個以上の貯湯タンクが直列に接続されたシステムの場合には、バイパス配管９は、最上位の貯湯タンクより下位の何れかの貯湯タンク（すなわち、最上位の貯湯タンク以外の貯湯タンク）に接続されていればよい。
【００１８】
上述したように、本実施形態では、貯湯回路（流入管７）の給湯側貯湯タンク５への接続部と、給湯配管２の給湯側貯湯タンク５への接続部とが、上部配管２２に共通化されている。ただし、本発明では、このような構成に限らず、貯湯回路（流入管７）の給湯側貯湯タンク５への接続部と、給湯配管２の給湯側貯湯タンク５への接続部とが別個に設けられていても良い。
【００１９】
給湯側貯湯タンク５および取水側貯湯タンク６の底部には、排水弁１９が接続されている。メンテナンス時等に給湯側貯湯タンク５および取水側貯湯タンク６の内部を排水する必要のある場合には、排水弁１９を開くことにより、給湯側貯湯タンク５および取水側貯湯タンク６の内部を排水することができる。
【００２０】
貯湯式給湯機１００の設置後、貯湯式給湯機１００内に最初に給水する際には、図１に示すように、出湯切替弁１１はバイパス回路側の状態とされ、給水配管３から給水された水は、減圧弁４で減圧され、取水側貯湯タンク６、連結管１０、給湯側貯湯タンク５の順に給水され、すべての貯湯タンクに水が満たされる。
【００２１】
図２は、本発明の実施の形態１の貯湯式給湯機１００の貯湯運転時の湯水の流れを示す図である。貯湯運転（沸き上げ運転）時には、出湯切替弁１１は貯湯回路側の状態とされ、ヒートポンプユニット１および循環ポンプ１２が運転される。これにより、図２に示すように、取水側貯湯タンク６内の低温水が流出管８および外部配管１５を通ってヒートポンプユニット１に送られる。ヒートポンプユニット１では、その低温水が、制御部５０で指示された所定の目標沸き上げ温度（例えば９０℃）まで加熱される。ヒートポンプユニット１で加熱された高温の湯は、外部配管１６を通って貯湯タンクユニット２０に戻り、内部配管１７、出湯切替弁１１、流入管７および上部配管２２を通って給湯側貯湯タンク５の上部に流入する。この際、給湯側貯湯タンク５の上部に流入した湯と同量の湯水が給湯側貯湯タンク５の下部から連結管１０へ流出し、連結管１０を通って取水側貯湯タンク６の上部に流入する。このようにして、まず給湯側貯湯タンク５の上部から湯が貯えられていき、給湯側貯湯タンク５の下部まで湯が満ちた後は、湯が連結管１０を通って取水側貯湯タンク６の上部に流入し、取水側貯湯タンク６内に湯が貯えられていく。
【００２２】
貯湯式給湯機１００は、ヒートポンプユニット１から流出する湯の温度（以下、「ヒートポンプ出湯温度」と称する）を検出する出湯温度検出手段を有している。この出湯温度検出手段は、例えば、外部配管１６、内部配管１７、あるいは流入管７に設置される温度センサ（図示せず）により構成される。制御部５０は、貯湯運転時に、出湯温度検出手段により検出されるヒートポンプ出湯温度が目標沸き上げ温度となるように循環ポンプ１２の駆動速度（例えば回転速度）を制御するフィードバック制御を実行可能なフィードバック制御手段としての機能を有している。フィードバック制御の実行時には、制御部５０は、ヒートポンプ出湯温度が目標沸き上げ温度より高い場合には、その偏差に応じて、循環ポンプ１２の駆動速度を高くする方向に補正する。これにより、貯湯回路の循環流量（すなわちヒートポンプユニット１を通過する湯水の流量）が増加し、ヒートポンプユニット１で湯水が加熱される時間が短くなるので、ヒートポンプ出湯温度が低下方向に補正されて目標沸き上げ温度に近づく。逆に、ヒートポンプ出湯温度が目標沸き上げ温度より低い場合には、制御部５０は、その偏差に応じて、循環ポンプ１２の駆動速度を低くする方向に補正する。これにより、貯湯回路の循環流量が低下し、ヒートポンプユニット１で湯水が加熱される時間が長くなるので、ヒートポンプ出湯温度が上昇方向に補正されて目標沸き上げ温度に近づく。貯湯運転時には、このようなフィードバック制御により、ヒートポンプ出湯温度が目標沸き上げ温度に制御され、目標沸き上げ温度の湯を給湯側貯湯タンク５および取水側貯湯タンク６内に貯えることができる。
【００２３】
また、制御部５０は、給湯センサ１４にて給湯配管２への給湯が開始されたことを検出すると、ユーザーによりリモコン装置６０にて設定された温度の湯が混合弁１３から混合給湯配管１８へ流入するように、混合弁１３の起動開度を計算して混合弁１３の開度を制御する。給湯時には、給湯側貯湯タンク５の上部から給湯配管２へ湯が流出するとともに、それと同量の湯水が取水側貯湯タンク６の上部から連結管１０を通って給湯側貯湯タンク５の下部に流入し、それと同量の水が給水配管３から取水側貯湯タンク６の下部に流入する。このように、貯湯式給湯機１００において給湯配管２へ給湯する給湯回路には、連結管１０が含まれるため、連結管１０による圧力損失が発生する。このため、貯湯式給湯機１００は、単一の貯湯タンクを備えた１缶式の貯湯式給湯機と比べて、給湯回路の圧力損失が大きくなる。
【００２４】
貯湯運転の実行中に給湯配管２への給湯が行われると、貯湯回路と給湯回路とが並列して動作する。一般に、１缶式の貯湯式給湯機の場合には、給湯回路の圧力損失は、ヒートポンプユニット１を経由する貯湯回路の圧力損失より大幅に小さいため、給湯回路の動作による貯湯回路への影響はほとんどなく、貯湯回路の循環流量、すなわちヒートポンプユニット１に循環する湯水の流量の変動は僅かであり、問題ない。これに対し、本実施形態の貯湯式給湯機１００のように、直列に接続された複数の貯湯タンクを備えたシステムの場合、以下のような問題がある。
【００２５】
図３は、本発明の実施の形態１の貯湯式給湯機１００において貯湯運転の実行中に給湯が開始されたときの湯水の流れを示す図である。貯湯式給湯機１００の貯湯運転の実行中に給湯配管２への給湯が開始されたとき、湯水の流れは図２の状態から図３の状態に変化する。図２の状態から図３の状態に変化すると、貯湯回路の循環流量が増加する現象が発生する。その結果、ヒートポンプユニット１で湯水が加熱される時間が短くなるため、ヒートポンプ出湯温度が急低下するという問題がある。貯湯運転の実行中に給湯が開始された場合に貯湯回路の循環流量が増加する原因は、次のようなものである。前述したように、貯湯式給湯機１００では、連結管１０の影響で給湯回路の圧力損失が大きくなるため、給湯回路の圧力損失と貯湯回路の圧力損失との差が小さくなる。このため、貯湯回路と給湯回路とが並列して動作した際、貯湯回路が給湯配管２への給湯に対しても補助的な役割を果たすように作用する。すなわち、給湯回路の給湯配管２の流れに、貯湯回路の流入管７の流れが引っ張られるように作用する。その結果、貯湯回路の循環流量が増大し、ヒートポンプ出湯温度が低下する。そうすると、制御部５０が行うフィードバック制御は、ヒートポンプ出湯温度を上昇させて目標沸き上げ温度に戻すべく、循環ポンプ１２の駆動速度を低下させて貯湯回路の循環流量を低下させるように作用する。この状態から給湯が停止された場合、今度は逆に、貯湯回路の循環流量が低下するため、ヒートポンプ出湯温度が急上昇する。これに関連して、ヒートポンプユニット１内の冷媒回路の吐出圧力の急激な上昇も懸念される。この場合には、高圧状態による配管破壊等を未然に防止するための保護停止が発生して、機器が停止することにも繋がりかねない。
【００２６】
このように、貯湯式給湯機１００では、貯湯運転の実行中に給湯配管２への給湯が行われた場合に、貯湯回路の循環流量が変動し、ヒートポンプ出湯温度が変動するという問題がある。本実施形態の貯湯式給湯機１００では、この問題を解決するため、制御部５０は、貯湯運転の実行中に給湯配管２への給湯が開始されたことが給湯センサ１４にて検知された場合に、フィードバック制御を停止し、循環ポンプ１２の駆動速度を一定速度に固定するポンプ速度固定手段としての機能を有している。すなわち、貯湯運転時において、制御部５０は、給湯配管２への給湯が実行されている間は、循環ポンプ１２の駆動速度を一定速度に固定するように制御する。そして、制御部５０は、給湯配管２への給湯が停止（終了）したことが給湯センサ１４にて検知された場合には、循環ポンプ１２の駆動速度の固定を解除し、フィードバック制御を再開して、通常の制御に戻る。この場合、制御部５０は、ヒートポンプ出湯温度と目標沸き上げ温度との差が所定の範囲内（例えばヒートポンプ出湯温度が目標沸き上げ温度の±５℃以内）まで回復した後に、循環ポンプ１２の駆動速度の固定を解除し、フィードバック制御を再開して、通常の制御に戻ることが望ましい。上述したような制御によれば、貯湯運転の実行中に給湯配管２への給湯が行われた場合にも、貯湯回路の循環流量の変動を抑制することができ、ヒートポンプ出湯温度の変動を抑制することができる。また、冷媒回路の吐出圧力の急激な上昇も抑えることが可能である。
【００２７】
本実施形態の貯湯式給湯機１００では、貯湯回路（流入管７）の給湯側貯湯タンク５への接続部と、給湯配管２の給湯側貯湯タンク５への接続部とが、上部配管２２に共通化されていることから、貯湯回路（流入管７）と給湯配管２とが直接に連通している。このため、貯湯運転の実行中に給湯配管２への給湯が行われた場合に、圧力損失変動を特に受け易く、貯湯回路の循環流量が大きく変動し易い。しかしながら、上述した実施の形態１の制御によれば、そのような配管構成の場合においても、貯湯回路の循環流量の変動を確実に抑制することができ、ヒートポンプ出湯温度の変動を抑制し、冷媒回路の吐出圧力の急激な上昇も抑えることが可能である。
【００２８】
なお、本実施形態では、制御部５０は、給湯配管２への給湯停止後、ヒートポンプ出湯温度と目標沸き上げ温度との差が所定の範囲内まで回復した後に、循環ポンプ１２の駆動速度の固定を解除しているが、給湯配管２への給湯停止後の経過時間が所定時間に達したときに循環ポンプ１２の駆動速度の固定を解除するようにしても良い。このように制御した場合であっても、上記と同様の効果が得られる。
【００２９】
実施の形態２．
次に、本発明の実施の形態２について説明するが、上述した実施の形態１との相違点を中心に説明し、同様の事項については説明を省略する。本実施の形態２の貯湯式給湯機のハードウェア構成は、実施の形態１と同様であるので、図示および説明を省略する。
【００３０】
本実施の形態２において、貯湯運転の実行中に給湯配管２への給湯が開始されたことが給湯センサ１４にて検知された場合には、制御部５０は、フィードバック制御を停止し、循環ポンプ１２の駆動速度を一定速度に固定する。その際、制御部５０は、給湯配管２への給湯の開始前の循環ポンプ１２の駆動速度（以下、「第１の速度」と称する）と比べて、予め定められた所定速度または所定割合だけ低い第２の速度（例えば、給湯開始前より１０００ｒｐｍ低い回転速度）となるように循環ポンプ１２の駆動速度を固定する。これにより、給湯配管２への給湯の開始に伴う貯湯回路の循環流量の増加をより確実に抑制することができるので、ヒートポンプ出湯温度の低下をより確実に抑制することができる。このため、目標沸き上げ温度より低い温度の湯が給湯側貯湯タンク５の上部に流入することをより確実に抑制することができ、給湯側貯湯タンク５内の温度成層を乱すことをより確実に防止することができる。
【００３１】
また、本実施の形態２では、給湯配管２への給湯が停止（終了）したことが給湯センサ１４にて検知された後、制御部５０は、循環ポンプ１２の駆動速度を上記第２の速度から上記第１の速度に段階的に近づけるように制御し、その後、循環ポンプ１２の駆動速度の固定を解除してフィードバック制御を再開させる。例えば、上記第２の速度が上記第１の速度より１０００ｒｐｍ低い速度であるとし、目標沸き上げ温度を９０℃とした場合には、給湯配管２への給湯停止後、ヒートポンプ出湯温度が目標沸き上げ温度より１０℃低い８０℃まで到達した際には、循環ポンプ１２の駆動速度を上記第１の速度より５００ｒｐｍ低い速度に制御し、ヒートポンプ出湯温度が目標沸き上げ温度より５℃低い８５℃まで到達した際には、循環ポンプ１２の駆動速度の固定を解除し、フィードバック制御を再開して、通常の制御に戻る。この例では、循環ポンプ１２の駆動速度を上記第２の速度から上記第１の速度に２段階に近づけているが、３段階以上としても良い。
【００３２】
給湯配管２への給湯が停止すると、給湯回路の給湯配管２の流れに貯湯回路の流入管７の流れが引っ張られる作用がなくなり、貯湯回路の循環流量が低下することから、ヒートポンプ出湯温度が急上昇する。このため、給湯配管２への給湯停止後、循環ポンプ１２の駆動速度が上記第２の速度にある状態でフィードバック制御を再開させた場合、ヒートポンプ出湯温度が目標沸き上げ温度を超えてオーバーシュートする事象が起き易い。これに対し、本実施の形態２では、給湯配管２への給湯停止後、循環ポンプ１２の駆動速度を上記第２の速度から上記第１の速度に段階的に近づくように上昇させることにより、給湯停止に伴う貯湯回路の循環流量の低下を確実に抑制することができ、ヒートポンプ出湯温度の上昇を確実に抑制することが可能となる。このため、給湯停止後、ヒートポンプ出湯温度が目標沸き上げ温度に安定するまでの時間を短縮することができるとともに、高温沸き上げ異常の発生をより確実に防止することができる。
【００３３】
なお、以上説明した各実施の形態では、貯湯運転中のヒートポンプ出湯温度が安定している状態で給湯配管２への給湯が開始された場合について説明したが、過渡状態（例えば、貯湯運転開始時のヒートポンプ出湯温度が上昇中の状態、あるいは、貯湯運転を終了する停止動作中の状態）で給湯配管２への給湯が開始されることも考えられる。ヒートポンプ出湯温度が上昇中に給湯配管２への給湯が開始された場合には、ヒートポンプ出湯温度は目標沸き上げ温度に到達していないので、高温沸き上げ異常の懸念は無い。このため、上述した実施の形態１または２で説明した制御で対応可能である。また、貯湯運転を終了する停止動作中に給湯配管２への給湯が開始された場合には、ヒートポンプ出湯温度を制御する必要はないので、上述した実施の形態１または２で説明した制御を行う必要はなく、通常の停止動作の制御を継続すれば良い。
【符号の説明】
【００３４】
１  ヒートポンプユニット、２  給湯配管、３  給水配管、４  減圧弁、
５  給湯側貯湯タンク、６  取水側貯湯タンク、７  流入管、８  流出管、
９  バイパス配管、１０  連結管、１１  出湯切替弁、１２  循環ポンプ、
１３  混合弁、１４  給湯センサ、１５，１６  外部配管、１７  内部配管、
１８  混合給湯配管、１９  排水弁、２０  貯湯タンクユニット、２１  給水配管、
２２  上部配管、５０  制御部、６０  リモコン装置、１００  貯湯式給湯機
【図１】
2014001880.tif 000003
【図２】
2014001880.tif 000004
【図３】
2014001880.tif 000005